(57)【特許請求の範囲】
【請求項１】
凸面鏡板と、
この凸面鏡板が取り付けられている取付板と、
水が封入されている可撓性の袋とを有し、
前記凸面鏡板の背面と前記取付板の間の空間に前記可撓性の袋が収納されており、
前記可撓性の袋と前記凸面鏡板の間には第１のエアーマットが充填され、前記可撓性の袋と前記取付板の間には第２のエアーマットが充填され、これら第１および第２のエアーマットによって、前記可撓性の袋が、前記凸面鏡板の背面に沿った所定厚さの面状態に保持されており、
前記第２のエアーマットと前記取付板の間には、前記可撓性の袋の外形輪郭よりも小さな外形輪郭の断熱材が配置されており、
前記可撓性の袋は上下方向に複数の区画室に仕切られ、各区画室に水が封入されており、
前記各区画室に封入されている水の量は、当該各区画室に封入可能な最大水量の半分以下である防曇機能を備えたカーブミラー。
【請求項２】
凸面鏡板と、
この凸面鏡板が取り付けられている取付板と、
水が封入されている可撓性の袋とを有し、
前記凸面鏡板の背面と前記取付板の間の空間に前記可撓性の袋が収納されており、
前記可撓性の袋と前記凸面鏡板の間には第１のエアーマットが充填され、前記可撓性の袋と前記取付板の間には第２のエアーマットが充填され、これら第１および第２のエアーマットによって、前記可撓性の袋が、前記凸面鏡板の背面に沿った所定厚さの面状態に保持されており、
前記第２のエアーマットと前記取付板の間には、前記可撓性の袋の外形輪郭よりも小さな外形輪郭の断熱材が配置されており、
前記可撓性の袋は上下方向に分割された複数の袋からなり、各袋に水が封入されており、
前記各袋に封入されている水の量は、当該各袋に封入可能な最大水量の半分以下である防曇機能を備えたカーブミラー。
【発明の詳細な説明】
【技術分野】
【０００１】
本発明は、屋外に設置されているカーブミラーなどのミラーに関し、特に防曇機能を備えているミラーに関するものである。
【背景技術】
【０００２】
見通しの悪い道路などに設置されているカーブミラーなどのように屋外に設置されているミラーでは、気象条件により鏡面に結露が生じて曇ることがある。鏡面が曇ると視認性が悪くなり、カーブミラーなどの場合には交通障害が発生するので危険である。
【０００３】
鏡面の防曇機構としては、凸面鏡板と取付板の間の空間に、ヒータおよびヒータの熱を蓄えるゲル状蓄熱剤を袋に封入して配置し、鏡面の表面温度を外気温度よりも高く維持するものが、下記に特許文献において提案されている。
【特許文献１】特開平６−２７３１０号公報
【発明の開示】
【発明が解決しようとする課題】
【０００４】
しかしながら、かかる防曇機能を備えたカーブミラーでは、ヒータに電気を供給するためのソーラーシステムなどを別途、設ける必要があり、その分、コストが高いという問題がある。
【０００５】
本発明の課題は防曇機能を備えた廉価なミラーを提供することにある。
【課題を解決するための手段】
【０００６】
上記の課題を解決するために、本発明のカーブミラーは、凸面鏡板と、この凸面鏡板が取り付けられている取付板と、水が封入されている可撓性の袋とを有し、前記凸面鏡板の背面と前記取付板の間の空間に前記可撓性の袋が収納されており、前記可撓性の袋と前記凸面鏡板の間には第１のエアーマットが充填され、前記可撓性の袋と前記取付板の間には第２のエアーマットが充填され、これら第１および第２のエアーマットによって、前記可撓性の袋が、前記凸面鏡板の背面に沿った所定厚さの面状態に保持されており、前記第２のエアーマットと前記取付板の間には、前記可撓性の袋の外形輪郭よりも小さな外形輪郭の断熱材が配置されており、前記可撓性の袋は上下方向に複数の区画室に仕切られ、各区画室に水が封入されており、前記各区画室に封入されている水の量は、当該各区画室に封入可能な最大水量の半分以下であることを特徴としている。
【０００７】
また、本発明のカーブミラーは、凸面鏡板と、この凸面鏡板が取り付けられている取付板と、水が封入されている可撓性の袋とを有し、前記凸面鏡板の背面と前記取付板の間の空間に前記可撓性の袋が収納されており、前記可撓性の袋と前記凸面鏡板の間には第１のエアーマットが充填され、前記可撓性の袋と前記取付板の間には第２のエアーマットが充填され、これら第１および第２のエアーマットによって、前記可撓性の袋が、前記凸面鏡板の背面に沿った所定厚さの面状態に保持されており、前記第２のエアーマットと前記取付板の間には、前記可撓性の袋の外形輪郭よりも小さな外形輪郭の断熱材が配置されており、前記可撓性の袋は上下方向に分割された複数の袋からなり、各袋に水が封入されており、前記各袋に封入されている水の量は、当該各袋に封入可能な最大水量の半分以下であることを特徴としている。
【０００８】
このように、本発明では、エアーマットの空気層の存在により、水に蓄熱された熱エネルギーが凸面鏡板に対して直接放出されてしまうことを防止することができるので、凸面鏡板に対する放熱を安定して行うことができる。また、断熱材の層により、取付板の側から無駄な放熱が行われることを防止することができる。
【０００９】
また、本発明では、可撓性の袋を上下方向に区画した各区画室、あるいは、可撓性の袋を上下方向に分割した各袋に封入されている水の量が、各区画室あるいは各袋に封入可能な最大水量の半分以下であるので、水が凍ることによる体積膨張により袋が破裂してしまうことを防ぐことができる。
【００１０】
更に、本発明では、エアーマットや断熱材の層によって、水が入った可撓性の袋を鏡板の背面に沿った所定厚さの面状態に保持することができるため、放射冷却などにより冷え込みの強い日に水が凍ったとしても氷の大きさはそれほど大きくならない。よって、外気温の上昇に伴って速やかに氷が融ける。これにより、冷え込みの強い日であっても凸面鏡板の鏡面の結露を防止することができる。
【発明の効果】
【００１１】
本発明者等の実験によれば、本発明のカーブミラーにおいては、マイナス３０℃からプラス５５℃までの温度範囲において凸面鏡板の鏡面に結露が付かないことが確認された。特に、水が封入された可撓性の袋と凸面鏡板との間に第１のエアーマットを充填すると共に、可撓性の袋と取付板との間に第１のエアーマットを充填し、更に、第２のエアーマットと前記取付板の間に、可撓性の袋の外形輪郭よりも小さな外形輪郭の断熱材を配置し、可撓性の袋を上下に区画するかあるいは複数の袋に分割し、各区画室あるいは各袋に封入する水の量を、当該各区画室あるいは各袋に封入可能な最大水量の半分以下にした場合に、良好な結果を得ることができた。
【００１２】
その理由については、その詳細を解析中であるが、エアーマットの空気層の存在により、水に蓄熱された熱エネルギーが鏡板に対して直接、放出されてしまうことを防止することができるので、鏡板に対する放熱を安定して行うことができるからであると考えられる。また、エアーマットや断熱材の層によって、水が入った可撓性の袋を鏡板の背面に沿った所定厚さの面状態に保持することができるため、放射冷却などにより冷え込みの強い日に水が凍ったとしても氷の大きさはそれほど大きくならず、外気温の上昇に伴って速やかに氷が融けるからであると考えられる。したがって、本発明によれば、水を封入した可撓性の袋を凸面鏡板の背面側にエアーマットや断熱材によって上記のように保持させるという簡単な構成により、防曇機能を備えた廉価なカーブミラーを実現できる。
【発明を実施するための最良の形態】
【００１３】
以下に、図面を参照して、本発明を適用したカーブミラーの一例を説明する。
【００１４】
図１はカーブミラーを示す外観図である。この図に示すように、カーブミラー１のミラー本体部分は、表面２ａに鏡面加工を施したステンレススチール板などからなる円形の凸面鏡板２と、この凸面鏡板２が取り付けられている円盤状の取付板３とを有している。取付板３は角度調整取付具４を介して地中に下端部分が埋設されている支柱５の上端部分に取り付けられている。また、凸面鏡板２の上側部分にはフード６が取り付けられている。
【００１５】
図２はミラー本体部分の縦断面図である。この図に示すように、凸面鏡板２と取付板３の間には隙間が形成されており、この隙間に、水８が封入されているナイロンやポリエチレンなどの可撓性のプラスチック袋９が収納されている。プラスチック袋９は、凸面鏡板２と当該袋９の間に充填された第１の中間層１０、および当該袋９と取付板３の間に充填された第２の中間層１１によって、凸面鏡板２の背面２１に沿った所定厚さの面状態に保持されている。
【００１６】
第１の中間層１０はエアーマット（密閉気泡マット）によって形成されており、このエアーマットによって、凸面鏡板２とプラスチック袋９の間には空気層が形成されている。また、第２の中間層１１は、プラスチック袋９の側に配置したエアーマット１２と、取付板３の表面に配置した発泡スチロールや発泡ウレタンなどの断熱材１３とを備えている。エアーマット１２および断熱材１３によって、プラスチック袋９に封入されている水８から無駄な放熱が取付板３の側に行われることを防止している。すなわち、第２の中間層１１は断熱層としての役割も果たしている。
【００１７】
次に、図３（ａ）〜（ｃ）はそれぞれ、水８が封入されたプラスチック袋９を示す正面図、そのＡ−Ａ線で切断した部分を示す概略断面図、および水８が封入されたプラスチック袋９を取付板３に固定した状態を示す説明図である。これらの図に示すように、プラスチック袋９は、凸面鏡板２（取付板３）と略同径の円形の１枚の袋であり、水注入口１５を備えている。また、プラスチック袋９は、上下方向に仕切ることによって複数の区画室９１、９２、９３、９４、９５が形成されており、これらの区画室９１〜９５に水８が封入されている。これにより、水８がプラスチック袋９の下側に溜まってしまうことを防いでいる。また、プラスチック袋９は、図３（ｃ）において想像線で示すように、粘着テープ１６によって取付板３に固定されており、凸面鏡板２の背面２１に沿って面状に配置された状態に保持されている。よって、自重によりずり落ちて、凸面鏡板２の背面２１の下側部分に集まってしまうことが防止される。
【００１８】
ここで、各区画室９１〜９５に封入されている水８の量は、各区画室９１〜９５に封入可能な最大水量の半分以下となっている。また、水８には、雑菌などの繁殖を防ぐために、例えば、塩素系の殺菌剤が添加されている。
【００１９】
なお、本例では、水８を入れて水注入口１５を封止した後に、プラスチック袋９に対して両側から線状に熱を加えることにより両面を接着させて、各区画室９１〜９５を形成すると共に、各区画室９１〜９５に水８を封入している。
【００２０】
本発明者等が行った実験によると、本例のカーブミラー１では、マイナス３０℃からプラス５５℃までの温度範囲において凸面鏡板２の鏡面２ａに結露が見られなかった。よって、ヒータおよび当該ヒータに電気を供給するためのソーラーシステムなどを設けることなく、十分な防曇機能を備えた廉価なカーブミラーを実現できる。
【００２１】
本例のカーブミラー１の防曇機能は次のように考えられる。昼間の温度上昇により凸面鏡板２が加熱されて、その熱エネルギーはプラスチック袋９に封入されている水８に吸収、蓄熱される。水８に蓄熱された熱エネルギーが、夜間から朝方の気温低下に伴って徐々に放熱され、凸面鏡板２を背面側から加熱して鏡面２ａを温め、鏡面２ａに結露が発生することを防止する。また、凸面鏡板２とプラスチック袋９に封入された水８の間には所定厚さの空気層が形成されている。この空気層の存在により、水８に蓄熱された熱エネルギーが凸面鏡板２に対して直接、放出されてしまうことを防止することができるので、凸面鏡板２に対する放熱を安定して行うことができる。
【００２２】
一方、本例のカーブミラー１においては水８がプラスチック袋９に封入されているので、放射冷却などにより冷え込みの強い日には、水８が凍ってしまうことがある。しかし、各区画室９１〜９５に封入されている水８の量は、各区画室９１〜９５に封入可能な最大水量の半分以下としてある。よって、水８が凍ることによる体積膨張によってプラスチック袋９が破裂してしまうことがない。また、各区画室９１〜９５内の氷は小さいので、外気温の上昇に伴って速やかに融ける。
【００２３】
なお、本例では、プラスチック袋９に水８を封入した後に、各区画室９１〜９５を形成してこれらに水８を封入したが、予め、プラスチック袋９に各区画室９１〜９５を形成しておき、各区画室９１〜９５に水を注入してもよい。
【００２４】
また、図４に示すように、プラスチック袋として複数枚の袋９１Ａ、９２Ａ、９３Ａ、９４Ａ、９５Ａを用意し、これらの袋９１Ａ〜９５Ａに水８を封入して、凸面鏡板２の背面２１に沿って配置してもよい。
【００２５】
さらに、図５に示すように、プラスチック袋として長いチューブ状のものを用意し、これに水８を封入したものを、凸面鏡板２の背面２１に沿って渦巻き状に配置してもよい。
【００２６】
いずれの場合においても、各袋９１Ａ〜９５Ａ、およびチューブ状の袋９Ｂに封入されている水８の量は、当該袋９１Ａ〜９５Ａおよび９Ｂに封入可能な最大水量の半分以下であることが望ましい。
【００２７】
なお、図５に示すチューブ状の袋９Ｂにおいて、水８が下側に溜まってしまうような場合には、水を入れた後に、当該チューブ状の袋９Ｂの内部を一定の長さ毎に仕切ることによって、複数の区画室を形成すればよい。
【００２８】
さらに、本発明は、カーブミラー以外の屋外あるいは屋内に設置されるミラーにも同様に適用可能である。また、自動車やオートバイなどのバックミラーなどにも適用可能である。
【図面の簡単な説明】
【００２９】
【図１】本発明を適用したカーブミラーを示す外観図である。
【図２】図１のカーブミラーのミラー本体部分の縦断面図である。
【図３】（ａ）〜（ｃ）はそれぞれ、水が封入されたプラスチック袋を示す正面図、そのＡ−Ａ線で切断した部分を示す概略断面図、および水が封入されたプラスチック袋を取付板に固定した状態を示す説明図である。
【図４】（ａ）および（ｂ）は、水が封入されたプラスチック袋の別の形態を示す正面図、およびそのＢ−Ｂ線で切断した部分を示す概略断面図である。
【図５】水が封入されたプラスチック袋のさらに別の形態を示す正面図である。
【符号の説明】
【００３０】
１  カーブミラー
２  凸面鏡板
２１  鏡板の背面
２ａ  鏡面
３  取付板
８  水
９  プラスチック袋
９１、９２、９３、９４、９５  区画室
９１Ａ、９２Ａ、９３Ａ、９４Ａ、９５Ａ  袋
９Ｂ  袋
１０  第１の中間層
１１  第２の中間層
１２  エアーマット
１３  断熱材
１６  粘着テープ
【図１】
0004157867.tif 000002
【図２】
0004157867.tif 000003
【図３】
0004157867.tif 000004
【図４】
0004157867.tif 000005
【図５】
0004157867.tif 000006